(57)【要約】【課題】  犯罪の抑止効果を有し、低コストであり、窓ガラスが破損した際のガラスの破片の飛散とガスバーナによる火災発生を可及的に防止することが可能な防犯用窓ガラスシールを提供することを目的とする。【解決手段】  一側に剥離シート２、他側に表シート５を、あるいは両側に剥離兼用表シートを、中間部にプラスチックシート３と金属シート４を糊材６を介在して積層、貼着してシール部材７を形成し、このシール部材７に切り込み８を設けたものである。【選択図】          図３
2005146540.tif 000002
【特許請求の範囲】
【請求項１】
一側に剥離シート、中間部にプラスチックシートと金属シート、他側に表シートを糊材を介在して積層、貼着してシール部材を形成し、このシール部材に切り込みを設けたことを特徴とする防犯用窓ガラスシール。
【請求項２】
両側に剥離兼用表シート、中間にプラスチックシートと金属シートを糊材を介在して積層、貼着してシール部材を形成し、このシール部材に切り込みを設けたことを特徴とする防犯用窓ガラスシール。
【請求項３】
剥離シートあるいは剥離兼用表シートの外面に絵等の印刷を施したことを特徴とする請求項１または請求項２記載の防犯用窓ガラスシート。
【発明の詳細な説明】
【技術分野】
【０００１】
本発明は、窓に設けられた錠前を遮蔽するように、窓ガラスの内側に貼着して使用される防犯用窓ガラスシールに関する。
【背景技術】
【０００２】
近年、窓ガラスの錠前近辺を鋭利な器具で割り、内部に手を差し込んで錠前に設けられた鍵を廻わし、窓を開けて建物内部に浸入するという犯罪が増えている。
【０００３】
また、窓ガラスの錠前近辺を携帯用のガスバーナで熱して膨張させた後、すぐに濡れタオル等で冷やして収縮させることにより、窓ガラスの当該部分を破損させて前記と同じように建物内部に浸入することもあった。
【０００４】
従来、このような犯罪に対処するために、窓ガラスの内部に金属製のネットを埋設したり、あるいは窓ガラスの内側全面に高強度のシール部材を貼着することで窓ガラスの破損を防ぐことが行われている。
【特許文献１】特になし
【発明の開示】
【発明が解決しようとする課題】
【０００５】
しかしながら、前記した従来の手法では、いずれも高コストであり、窓ガラスが破損した際に多くのガラスの破片が室内に飛び散るため、それらの除去作業が面倒で、しかも危険でもあり、かつガスバーナによる火災発生のおそれがある等の問題があった。
【０００６】
本発明は、このような従来の問題点を考慮してなされたものであり、犯罪の抑止効果を有し、低コストであり、窓ガラスが破損した際のガラスの破片の飛散とガスバーナによる火災発生を可及的に防止することが可能な防犯用窓ガラスシールを提供することを目的とする。
【課題を解決するための手段】
【０００７】
上記目的を達成するため、請求項１の発明の防犯用窓ガラスシールは、一側に剥離シート、中間部にプラスチックシートと金属シート、他側に表シートを糊材を介在して積層、貼着してシール部材を形成し、このシール部材に切り込みを設けたことを特徴とする。
【０００８】
請求項２の発明の防犯用窓ガラスシールは、両側に剥離兼用表シート、中間にプラスチックシートと金属シートを糊材を介在して積層、貼着してシール部材を形成し、このシール部材に切り込みを設けたことを特徴とする。
【０００９】
請求項３の発明の防犯用窓ガラスシールは、剥離シートあるいは剥離兼用表シートの外面に絵等の印刷を施したことを特徴とする。
【発明の効果】
【００１０】
請求項１の発明の防犯用窓ガラスシールによれば、次のような効果を有する。
１．シール部材一側の剥離シートを剥して露出した糊材の面を窓ガラスの内側に錠前を遮蔽するようにして貼着すれば、窓の外側から鍵が見え難いうえに、窓ガラスも割れ難く、しかも窓ガラスの破損から鍵開けまでの時間が長く掛かるため、犯罪抑止の効果がある。
【００１１】
２．シール部材に切り込みが設けられており、窓ガラスが破損したとき、多数の破片が糊材を介してシール部材に付着してぶらさがるため、ペンチ等の工具類で一個一個破片を取り除くか、あるいは頑丈な皮手袋等をはめて手を差し込み鍵を開けることが必要となり、これまた犯罪抑止の効果がある。
さらに、窓ガラスの破片が室内に飛び散る量を少なくすることができるため、住人による除去作業が容易でかつ危険性も少ないものである。
【００１２】
３．シール部材の中間部に難燃性や耐熱性を備えたプラスチックシートと金属シートとを介在させてあるため、例え窓ガラスの外側から携帯用のガスバーナを使用して加熱しても簡単には窓ガラスを破損させることが困難で、これまた犯罪抑止の効果があると共に、建物の火災発生を防止する効果がある。
【００１３】
４．本シールは窓ガラスの一部に貼着できる大きさや形状に形成すればよいため、低コストで、しかも外からの光の遮断を最小限にすることができる。また、本シールを上下対称に形成することにより、左右どちらの窓ガラスにも貼着することができ、経済性および利便性が高いものである。
さらに、表シートの外面に花、鳥、動物、木、その他美麗な絵等の印刷を施すと、シールを窓に貼ることによる違和感を和らげることができる。
【００１４】
請求項２の発明の防犯用窓ガラスシールによれば、前記請求項１による効果に加えて、次のような効果を有する。
５．シール部材の両側に剥離兼用表シートが設けられているため、使用に際してどちらのシートを剥離してもよく、利便性が高いうえに、金属シートはその両面からプラスチックシートで挟まれているため、一層難燃性や耐熱性を向上させることができる。
【発明を実施するための最良の形態】
【００１５】
以下、本発明を実施するための最良の形態を図面に基づいて詳細に説明する。
図１は、本発明の防犯用窓ガラスシールの正面図、図２は、同上のＡ−Ａ矢視拡大断面図、図３は、同上の分解斜視図、図４は、同上の使用状態を示す参考斜視図、図５は、同上の使用状態を示す側断面図、図６は、防犯用窓ガラスシールの他例を示す分解斜視図、図７は、同上の使用状態を示す参考斜視図、図８は、窓ガラスが破損した状態を示す同上の参考斜視図である。
【００１６】
この実施の形態の防犯用窓ガラスシール１は図１〜図５に示したように、一側に紙製の剥離シート２、中間部にプラスチックシート３と金属シート４、他側に表シート５を糊材６を介在して積層・貼着してシール部材７を形成し、このシール部材７に切り込み８を貫通して設けたものである。
【００１７】
シール部材７の形状は図示例では、中央一側に円弧状の膨出部７ａを設けると共に、上下両端の外側を落して円弧状の切り欠き７ｂを設けた帯状片に形成してあるが、かかる形状に限定されるものではない。しかし、後述するように２枚の窓ガラスのどちらにも貼着できるように、上下対称の形状とするのが望ましいものである。
【００１８】
中間部に位置するプラスチックシート３としては、耐熱性を備えたポリカーボネート樹脂等が好適であるが、必ずしも耐熱性プラスチックでなくとも、これにリン系、ハロゲン系などの難燃剤を添加することにより耐熱性を向上させたプラスチックシートを使用することもできる。
【００１９】
金属シート４としては、アルミニウム、ステンレス、鉄、銅、真鍮等を例えば、約０．１ｍｍ〜０．５ｍｍの金属箔に形成したものが好適である。このような金属シート４を介在させることにより、シール部材７の難燃性や耐熱性を一層向上させることができる。
【００２０】
切り込み８としては、窓ガラスが破損したときに破片がシール部材７に設けられた糊材６に付着してぶらさがることができるようなものであればよい。図示例では、シール部材７の中央部に円弧部８ａとその外側に複数本（図面では５本）の直線部８ｂをほぼ等間隔に連設したものとなっているが、かかる平面形状に限定されるものではない。
【００２１】
表シート５は、シール部材７を窓ガラスに貼着したとき表側に位置するもので、紙やプラスチックシート等のいずれでもよい。この表シート５の表面には、図６〜図８に示すように、絵などの印刷９を施すこともできる。
【００２２】
なお、図４、図５、図７および図８において、図中１０は窓ガラス、１１は窓枠、１２は錠前で、鍵１２ａと、これが掛け外し自在に係合する受金１２ｂにて形成されている。
【００２３】
この実施の形態の防犯用窓ガラスシール１の使用に際しては、先ずシール部材７から剥離シート２を剥し、露出した糊材６の面を窓ガラス１０内面に縦に貼るが、シール部材７を貼る窓ガラス１０の部分は、錠前１２がシール部材７の中央部で遮蔽されるように窓枠１１に沿った位置が最適である。
【００２４】
このように窓ガラスシール１を貼着すれば、万一、窓ガラス１０の貼着部分が外側から鋭利な器具で破損させられても、ガラスの破片１０ａの一部がシール部材７に複数層にわたって設けられた糊材６に付着してぶらさがるため、破片１０ａ全部が部屋内に飛散することがない。また、シール部材７には難燃性の金属シート４が設けられているため、携帯用のガスバーナで窓ガラス１０の当該部分を加熱しても燃え難く、火災を防止することができる。
【００２５】
ところで、当該窓ガラスシール１は図示例のように上下対称に形成するのが望ましく、これにより反対側の窓ガラス１０内面の同位置にも対称に貼着することができるため、左右どちらの窓ガラス１０の破損にも対処することができる。
【００２６】
図６は、他の実施形態の防犯用窓ガラスシール１０１を示すもので、両側に剥離兼用表シート１０２、中間部にプラスチックシート１０３、金属シート１０４およびプラスチックシート１１０を糊材１０６を介在して積層、貼着してシール部材１０７を形成し、このシール部材１０７に切り込み１０８を設けたものである。既述の実施形態同様、必要に応じて両側の剥離兼用表シート１０２の外面に印刷１０９を施す。
【００２７】
本実施形態の防犯用窓ガラスシール１０１は、両側に剥離兼用表シート１０２が設けられているため、どちらのシート１０２を剥離してもよく、使い勝手に優れている。シート１０２を剥離して露出した糊材１０６の面を窓ガラス１０内面の所定の部位に貼着して使用することは既述の実施形態と同様である。
【図面の簡単な説明】
【００２８】
【図１】本発明の防犯用窓ガラスシールの正面図である。
【図２】同上のＡ−Ａ矢視拡大断面図である。
【図３】同上の分解斜視図である。
【図４】同上の使用状態を示す参考斜視図である。
【図５】同上の使用状態を示す側断面図である。
【図６】防犯用窓ガラスシールの他例を示す分解斜視図である。
【図７】同上の使用状態を示す参考斜視図である。
【図８】窓ガラスが破損した状態を示す同上の参考斜視図である。
【符号の説明】
【００２９】
１、１０１          防犯用窓ガラスシール
２                  剥離シート
３、１０３、１１０  プラスチックシート
４、１０４          金属シート
５                  表シート
６、１０６          糊材
７、１０７          シール部材
８、１０８          切り込み
９                  印刷
１０２              剥離兼用表シート
【図１】
2005146540.tif 000003
【図２】
2005146540.tif 000004
【図３】
2005146540.tif 000005
【図４】
2005146540.tif 000006
【図５】
2005146540.tif 000007
【図６】
2005146540.tif 000008
【図７】
2005146540.tif 000009
【図８】
2005146540.tif 000010